(57)【要約】【課題】表面張力が低く、且つ、引火性が低く、様々なシリコーンオイル及び植物油に対する洗浄性が高い洗浄剤を提供すること。【解決手段】本発明は、（Ａ）シス−１−クロロ−３，３，３−トリフルオロプロペン及び（Ｂ）イソヘキサンを含む、シリコーンオイル及び植物油からなる群より選択される１種以上の油が付着した基材から、シリコーンオイル及び植物油からなる群より選択される１種以上の油を除去するための洗浄用組成物であって、（Ａ）及び（Ｂ）の合計１００質量部に対して、（Ａ）が２７〜６４質量部であり、組成物中の（Ａ）及び（Ｂ）の合計の含有量が３８質量％以上である、洗浄用組成物に関する。【選択図】なし【特許請求の範囲】
【請求項１】
（Ａ）シス−１−クロロ−３，３，３−トリフルオロプロペン及び（Ｂ）イソヘキサンを含む、シリコーンオイル及び植物油からなる群より選択される１種以上の油が付着した基材から、シリコーンオイル及び植物油からなる群より選択される１種以上の油を除去するための洗浄用組成物であって、（Ａ）及び（Ｂ）の合計１００質量部に対して、（Ａ）が２７〜６４質量部であり、組成物中の（Ａ）及び（Ｂ）の合計の含有量が３８質量％以上である、洗浄用組成物。
【請求項２】
更に、（ｃ１）１，１，１，３，３−ペンタフルオロブタンを含み、組成物中の（ｃ１）の含有量が６２質量％以下あり、組成物中の（Ａ）、（Ｂ）及び（ｃ１）の合計の含有量が３８質量％超１００質量％以下である、請求項１に記載の洗浄用組成物。
【発明の詳細な説明】
【技術分野】
【０００１】
本発明は、洗浄用組成物に関する。
【背景技術】
【０００２】
シリコーンオイルは、シロキサン結合による主骨格を持つ合成高分子化合物であり、金型等の油剤及び離型剤などに用いられる。シリコーンオイルの希釈剤としては、引火点がなく、化学的および熱的安定性に優れることから、ジクロロペンタフルオロプロパン（Ｒ２２５）、１，１−ジクロロ−１−フルオロエタン（Ｒ１４１ｂ）等のハイドロクロロフルオロカーボン（ＨＣＦＣ）類が広く使用されてきた。また、前記成分は、植物油の洗浄剤としても用いられてきた。しかし、ＨＣＦＣ類は塩素を含むということもあり、オゾン破壊係数（ＯＤＰ）が大きく地球環境への影響が懸念されるため、２０２０年に全廃されることが決定している。
【０００３】
これに対して、オゾン破壊係数がゼロで、シリコーン溶解性のある化学物質として、シス−１−クロロ−３，３，３−トリフルオロプロペンが知られている（特許文献１）。
【先行技術文献】
【特許文献】
【０００４】
【特許文献１】特開２０１１−４６６８８号公報
【発明の概要】
【発明が解決しようとする課題】
【０００５】
金型のような固体の上に洗浄剤を垂らして、固体の表面を洗浄剤が覆った場合、洗浄剤の表面張力が低い方が、洗浄剤が固体表面で安定化する。従って、固体表面に付着したシリコーンのオイル及び植物油を除去する場合には、表面張力の低い洗浄剤が有利である。これに対して、特許文献１に記載されたシス−１−クロロ−３，３，３−トリフルオロプロペンは、表面張力が比較的高く、金型の拭取り用としては溶解力が不十分な場合があった。
【０００６】
また、本発明者らが、イソヘキサン、アセチルアセトン、ニトロエタン、１−プロパノール及びベンジルアルコールについて、シリコーンオイルの溶解性調べたところ、イソヘキサンが、非常に高いシリコーンオイル及び植物油の溶解性を有していた。しかし、イソヘキサンは、引火性が高いという問題点があった。
【０００７】
本発明の課題は、表面張力が低く、且つ、引火性が低く、様々なシリコーンオイル及び植物油に対する洗浄性が高い洗浄剤を提供することである。
【課題を解決するための手段】
【０００８】
本発明者らは、前記の課題を解決すべく鋭意研究を重ねた結果、シス−１−クロロ−３，３，３−トリフルオロプロペン及びイソヘキサンを、特定の含有量で含む洗浄用組成物が、前記課題を解決できることを見出し、本発明に至った。
【０００９】
本発明は、以下の態様を含む。
［１］（Ａ）シス−１−クロロ−３，３，３−トリフルオロプロペン及び（Ｂ）イソヘキサンを含む、シリコーンオイル及び植物油からなる群より選択される１種以上の油が付着した基材から、シリコーンオイル及び植物油からなる群より選択される１種以上の油を除去するための洗浄用組成物であって、（Ａ）及び（Ｂ）の合計１００質量部に対して、（Ａ）が２７〜６４質量部であり、組成物中の（Ａ）及び（Ｂ）の合計の含有量が３８質量％以上である、洗浄用組成物。
［２］更に、（ｃ１）１，１，１，３，３−ペンタフルオロブタンを含み、組成物中の（ｃ１）の含有量が６２質量％以下あり、組成物中の（Ａ）、（Ｂ）及び（ｃ１）の合計の含有量が３８質量％超１００質量％以下である、［１］の洗浄用組成物。
【発明の効果】
【００１０】
本発明により、表面張力が低く、且つ、引火性が低く、様々なシリコーンオイル及び植物油に対する洗浄性が高い洗浄剤を提供できる。
【発明を実施するための形態】
【００１１】
［用語の定義］
本明細書において、（Ａ）シス−１−クロロ−３，３，３−トリフルオロプロペンを、単に（Ａ）と記載する場合がある。（Ｂ）イソヘキサン等についても同様である。
【００１２】
［洗浄用組成物］
洗浄用組成物は、（Ａ）シス−１−クロロ−３，３，３−トリフルオロプロペン及び（Ｂ）イソヘキサンを含む、シリコーンオイル及び植物油からなる群より選択される１種以上の油が付着した基材からシリコーンオイル及び植物油からなる群より選択される１種以上の油を除去するための洗浄用組成物であって、（Ａ）及び（Ｂ）の合計１００質量部に対して、（Ａ）が２７〜６４質量部であり、組成物中の（Ａ）及び（Ｂ）の合計の含有量が３８質量％以上である（以下、これを単に「組成物」ともいう。）。
【００１３】
組成物は、様々なシリコーンオイル及び植物油に対して高い溶解性を有する。そのため、組成物は、様々なシリコーンオイル及び植物油からなる群から選択される１以上の油が付着した基材から、前記油を除去できる、洗浄性を高めた洗浄剤である。組成物は、表面張力が低いため、手拭き洗浄に効果がある。組成物は、引火性が低いため、安全性に優れる。
【００１４】
＜（Ａ）シス−１−クロロ−３，３，３−トリフルオロプロペン＞
（Ａ）は、シス−１−クロロ−３，３，３−トリフルオロプロペンである。（Ａ）は、引火点が無い。よって、組成物は（Ｂ）を含むものであっても、引火性が抑えられる。
【００１５】
＜（Ｂ）イソヘキサン＞
（Ｂ）は、イソヘキサンであり、シリコーンオイル及び植物油に対する高い溶解力を有する。（Ｂ）の表面張力は１７ｍＮ／ｍである。一方、（Ａ）の表面張力は１９ｍＮ／ｍである。（Ｂ）及び（Ａ）は、分離することなく相溶するため、（Ａ）及び（Ｂ）を含む組成物は、（Ａ）のみに比べて、様々なシリコーンオイル及び植物油に対する洗浄性が高く、かつ表面張力が低い洗浄剤である。
【００１６】
また、（Ａ）及び（Ｂ）は労働安全衛生法の有機溶剤中毒予防則（有機則）に非該当である。よって、（Ａ）及び（Ｂ）を含む組成物は、低毒性の組成物である。
【００１７】
＜更なる成分＞
組成物は、本発明の効果を損なわない範囲で、（Ｃ）フッ素系溶剤及び（Ｄ）更なる成分からなる群より選択される１種以上の成分を含むことができる。
【００１８】
＜＜（Ｃ）：フッ素系溶剤＞＞
（Ｃ）フッ素系溶剤は、炭素原子及びフッ素を含み、場合により酸素原子を含んでいてもよいフッ素化炭素化合物であれば、特に限定されない。（Ｃ）は、（ｃ１）１，１，１，３，３−ペンタフルオロブタン（「３６５ｍｆｃ」とも呼ばれる）が好ましい。（ｃ１）は、表面張力が１５ｍＮ／ｍであり、引火点がなく、かつ、有機則に非該当である。よって、組成物が（ｃ１）を更に含むと、表面張力がより低くなり、引火性がより低くなる。また、組成物が（ｃ１）を更に含むと、組成物に低毒性が更に付与される。
【００１９】
＜＜（Ｄ）：更なる成分＞＞
組成物は、本発明の効果を損なわない限り、前記したフッ素系溶剤の他に、（Ｄ）更なる成分（以下、「（Ｄ）」ともいう。）を含むことができる。このような成分として、紫外線吸収剤、酸化防止剤、防錆剤、消泡剤、界面活性剤及びキレート剤からなる群より選択される１種以上が挙げられる。更なる成分は、洗浄剤の分野で慣用されている成分であれば特に限定されず、それぞれ単独で用いることもでき、また複数の混合物として用いることもできる。
【００２０】
紫外線吸収剤及び酸化防止剤は、組成物の長期保存等における安定性を向上させる成分である。紫外線吸収剤は、ベンゾトリアゾール系紫外線吸収剤、ベンゾフェノン系紫外線吸収剤、及びヒンダードアミン系紫外線吸収剤が挙げられる。酸化防止剤は、フェノール系酸化防止剤、アミン系酸化防止剤、硫黄系酸化防止剤、及びリン系等酸化防止剤が挙げられる。
【００２１】
フェノール系酸化防止剤は、２，６−ジ−ｔ−ブチル−４−メチルフェノール、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）−１，３，５−トリアジン、ペンタエリスリチル−テトラキス［３−（３，５−ジ−ｔ−ブチル−４−ヒドロキシフェニル）プロピオネート］、２，２−チオ−ジエチレンビス［３−（３，５−ジ−ｔ−ブチル−ヒドロキシフェニル）プロピオネート］、オクタドデシル−３−［３，５−ジ−ｔ−ブチル−４−ヒドロキシフェニル］プロピオネート］、Ｎ，Ｎ−ヘキサメチレンビス（３，５−ジ−ｔ−ブチル−４−ヒドロキシ−ヒドロシンナミド）、３，５−ジ−ｔ−ブチル−４−ヒドロキシ−ベンジルフォスフォネート−ジエチルエステル、１，３，５−トリメチル−２，４，６−トリス（３，５−ジ−ｔ−ブチル−４−ヒドロキシベンジル）ベンゼン、２，４−ビス［（オクチルチオ）メチル］−ｏ−クレゾール等が挙げられる。
【００２２】
アミン系酸化防止剤は、アルキル化ジフェニルアミン、トリス−（３，５−ジ−ｔ−ブチル−４−ヒドロキシベンジル）−イソシアヌレート、Ｎ，Ｎ−ジ−ｓｅｃ−ブチル−ｐ−フェニレンジアミン、ｐ−フェニレンジアミン誘導体、１，３，５−トリス（４−ｔ−ブチル−３−ヒドロキシ−２，６−ジメチル）イソシアヌレート等が挙げられる。硫黄系酸化防止剤は、２，４−ビス［（オクチルチオ）メチル］−ｏ−クレゾール、ジラウリル−３，３−チオジプロピオネート、ジミリスチル−３，３−ジオジプロピオネート、ジステアリル−３，３−チオジプロピオネート、ペンタエリスリチルテトラキス（３−ラウリルチオプロピオネート）、ジトリデシル−３，３−チオジプロピオネート、２−メルカプトベンズイミダゾール、ビス［２−メチル−４−（３−ｎ−アルキルチオプロピオニルオキシ）−５−ｔ−ブチルフェニル］スルフィド等が挙げられる。リン系酸化防止剤は、トリス−ノニルフェニルフォスファイト、トリフェニルフォスファイト、トリス（２，４−ジ−ｔ−ブチルフェニル）フォスファイト、トリス（イソデシル）フォスファイト等が挙げられる。
【００２３】
キレート剤は、アミノカルボン酸系のキレート剤が挙げられ、ヒドロキシエチルアミノ酢酸、ヒドロキシエチルイミノ二酢酸、エチレンジアミンテトラ酢酸やそれらの塩等が好ましい。
【００２４】
防錆剤は、シクロヘキシルアミン及びジシクロヘキシルアミンが挙げられる。界面活性剤は、非イオン性界面活性剤が挙げられ、高級アルコールエチレンオキサイド付加物、アルキルフェノールエチレンオキサイド付加物、脂肪酸エチレンオキサイド付加物、高級アルキルアミンエチレンオキサイド付加物、ソルビトール及びソルビタンの脂肪酸エステル、ショ糖脂肪酸エステル、シリコーン系界面活性剤、及びフッ素系界面活性剤等が好ましい。
【００２５】
＜組成物の組成＞
組成物中の（Ａ）及び（Ｂ）の量は、（Ａ）及び（Ｂ）の合計１００質量部に対して、（Ａ）が２７〜６４質量部である。（Ａ）の量が２７質量部未満及び６４質量部超であると、様々なシリコーンオイル及び植物油に対する洗浄性が劣る。組成物中の（Ａ）の量は、（Ａ）及び（Ｂ）の合計１００質量部に対して、３０〜６０質量部が好ましく、３５〜５５質量部であるのがより好ましい。このような範囲であると、様々なシリコーンオイル及び植物油に対する洗浄性がより優れる傾向がある。
【００２６】
組成物中の（Ａ）及び（Ｂ）の合計の含有量が３８質量％以上である。組成物中の（Ａ）及び（Ｂ）の合計の含有量が３８質量％未満であると、様々なシリコーンオイル及び植物油、特に植物油に対する洗浄性が劣る。組成物中の（Ａ）及び（Ｂ）の合計の含有量は、４０質量％以上が好ましい。
【００２７】
組成物中の（Ｃ）の量は、組成物中の６２質量％以下であるのが好ましく、６０質量％以下が特に好ましい。このような範囲であると、組成物における（Ａ）及び（Ｂ）の含有量を増加させずに、効率よく洗浄性を発揮できる傾向がある。また、洗浄性を維持したままで、（Ｂ）の含有量を低くすることができるため、組成物の引火性をより低めることができる傾向がある。なお、組成物が（Ｃ）を含む場合、組成物中の（Ａ）、（Ｂ）及び（Ｃ）の合計の含有量は３８質量％超１００質量％以下であり、７０〜１００質量％が好ましく、８０〜１００質量％がより好ましい。組成物中の（Ａ）、（Ｂ）及び（Ｃ）の合計の含有量は、３８質量％超９５質量％以下であってもよい。
【００２８】
組成物が、（Ａ）、（Ｂ）及び（Ｃ）のみからなる場合、組成物は、（Ａ）及び（Ｂ）の合計１００質量部に対して、（Ａ）が２７〜６４質量部であり、組成物中の（Ａ）及び（Ｂ）の合計の含有量が３８質量％以上である。
【００２９】
組成物が（Ｄ）を含む場合、組成物中の（Ｄ）の量は、組成物中の（Ａ）、（Ｂ）及び（Ｃ）の量が、３８質量％以上１００質量％未満であるような量であるのが好ましい。よって、組成物は、（Ａ）、（Ｂ）、（Ｃ）、及び（Ｄ）のみからなる場合、（Ａ）及び（Ｂ）の合計１００質量部に対して、（Ａ）が２７〜６４質量部であり、組成物中の（Ａ）及び（Ｂ）の合計の含有量が３８質量％以上であり、組成物中の（Ａ）、（Ｂ）及び（Ｃ）の合計の含有量が３８質量％超１００質量％未満であるのが好ましい。組成物が、（Ａ）、（Ｂ）、（Ｃ）、及び（Ｄ）のみからなる場合、組成物中の（Ａ）、（Ｂ）及び（Ｃ）の合計の含有量は、３８質量％超９５質量％以下であるのがより好ましい。
【００３０】
組成物は、原料成分である、必須成分としての（Ａ）、（Ｂ）、並びに、任意成分としての（Ｃ）及び（Ｄ）からなる群より選択される１種以上の成分を混合することにより製造することができる。組成物のための原料成分は、市販品を用いることができる。
【００３１】
［シリコーンオイル及び植物油からなる群より選択される１種以上の油］
組成物の除去対象は、シリコーンオイル及び植物油からなる群より選択される１種以上の油である。
【００３２】
（シリコーンオイル）
シリコーンオイルは、例えば、表面コーティング用に使用されている各種のシリコーンオイルが挙げられる。シリコーンオイルは、シロキサン結合による主骨格を持つ合成高分子化合物であれば特に限定されない。シリコーンオイルとして、メチル基、フェニル基、水素原子を置換基として結合したジメチルシリコーンオイル、メチルフェニルシリコーンオイル、メチルハイドロジェンシリコーンオイル等のストレートシリコーンオイル；及び前記ストレートシリコーンオイルから二次的に誘導された構成部分を持つ、アミノ変性シリコーンオイル、ポリエーテル変性シリコーンオイル及びエポキシ変性シリコーンオイル等の変性シリコーンオイルが挙げられる。変性シリコーンオイルとして、アミノアルキルシロキサンとジメチルシロキサンとの共重合体；アミノ基含有シランとエポキシ基含有シランとの反応生成物と、シラノール基を含有するポリジオルガノシロキサンとの反応生成物；側鎖にアミノ基を含有するシリコーンとポリジオルガノシロキサンからなるシリコーン混合物；末端アミノ基を含有するシリコーンとポリジオルガノシロキサンからなるシリコーン混合物；アミノ基含有アルコキシシランとエポキシ基含有アルコキシシラン及び両末端にシラノール基を有するシリコーンを反応させて得られたシリコーンと非反応性シリコーンとの混合物；側鎖にポリエーテル鎖を含有するシリコーンとポリジオルガノシロキサンからなるシリコーン混合物等が挙げられる。シリコーンオイルは、反応性であっても、非反応性であってもよい。また、シリコーンオイルは、１種でも２種以上の混合物であってもよく、これらのエマルションの形態であってもよい。
【００３３】
（植物油）
植物油は、食用油又は燃料油として用いられ、オリーブ油、アマニ油、キリ油、ゴマ油、サフラワー油、大豆油、ヒマシ油、綿実油、ヤシ油、コーン油及び脱水ヒマシ油等が挙げられる。植物油を構成する脂肪酸は、Ｃ１２〜Ｃ１８の飽和又は不飽和脂肪酸であり、具体的には、ラウリン酸、ミリスチン酸、パルミチン酸、ステアリン酸、オレイン酸、リノール酸、リノレン酸、及びエレオステアリン酸等が挙げられる。植物油は、１種でも２種以上の混合物であってもよい。
【００３４】
（好ましい態様）
組成物は、ストレートシリコーンオイル（より好ましくは、ジメチルシリコーンオイル）、アミノ変性シリコーンオイル、ポリエーテル変性シリコーンオイル及び植物油（より好ましくは、オリーブ油）からなる群より選択される１以上の油を除去するための洗浄剤が好ましくい。
【００３５】
［洗浄方法］
組成物を用いた洗浄方法は、シリコーンオイル及び植物油からなる群より選択される１種以上の油が付着した基材（以下、「被洗浄物」ともいう。）を洗浄するため方法であって、組成物を被洗浄物と接触させることを含む。基材は、特に限定されず、金型が挙げられる。金型は、製造業における各種部品（精密機械部品、光学機械部品、電子部品）の製造において用いられる。洗浄方法において、組成物を被洗浄物に接触させることにより、基材に付着したシリコーンオイル及び植物油からなる群より選択される１種以上の油は、基材から除去される。基材に付着したシリコーンオイル及び植物油からなる群より選択される１種以上の油は、溶解されることにより基材から除去されると考えられるため、対象とする油を溶解することができれば、洗浄用組成物として用いることが可能であると考えられる。なお、シリコーンオイル及び植物油が塵、埃等の固形の汚れを含む場合、この固形の汚れは、シリコーンオイル及び植物油の除去と同時に除去され得る。組成物と、被洗浄物とを接触させるための方法としては、特に制限はなく、例えば、手拭き洗浄、浸漬洗浄（液相洗浄）、スプレー洗浄、超音波洗浄、蒸気洗浄（気相洗浄）が挙げられるが、手拭き洗浄が好ましい。組成物及び被洗浄物の接触時間に相当する洗浄時間は、基材からシリコーンオイル及び植物油を除去できる時間であれば特に制限されない。例えば、洗浄時間は、１０秒〜２時間であってもよい。
【実施例】
【００３６】
以下、本発明を実施例及び比較例により更に詳細に説明するが、本発明はこれら実施例及び比較例により限定されるものではない。表における配合量の単位は質量部である。
【００３７】
実施例及び比較例で用いた成分は以下のとおりである。
１２３３Ｚ：シス−１−クロロ−３，３，３−トリフルオロプロペン（セントラル硝子株式会社製）
３６５ｍｆｃ：１，１，１，３，３−ペンタフルオロブタン
ジメチルシリコーン（１）：ジメチルシリコーンオイル  ３５０ＣＳ（東レ・ダウコーニング株式会社、ＤＯＷ  ＣＯＲＮＩＮＧ（登録商標）３６０  ＭＥＤＩＣＡＬ  ＦＬＵＩＤ、粘度３５０ｃＳｔ）
ジメチルシリコーン（２）：ジメチルシリコーンオイル  １００００ＣＳ（信越化学工業株式会社、ＫＦ−９６Ｈ−１万ＣＳ）
ポリエーテル変性シリコーン：ポリエーテル変性シリコーンオイル（信越化学工業株式会社、ＫＦ−６０１２）
アミノ変性シリコーン：アミノ変性シリコーンオイル（モメンティブ・パフォーマンス・マテリアルズ・ジャパン合同会社、ＸＦ４２−Ｂ１９８９、粘度１０，０００ｃＳｔ）
ポリジメチルシロキサンエマルジョン：ポリジメチルシロキサンエマルジョン（モメンティブ・パフォーマンス・マテリアルズ・ジャパン合同会社、ＴＳＭ６３２）
植物油：食用オリーブ油（ＡＪＩＮＯＭＯＴＯ  オリーブオイルエクストラバージン、株式会社Ｊ−オイルミルズ製）
【００３８】
［試験例１：シリコーンオイルの溶解性（（Ｂ）成分の選定）］
特定の溶剤を用いて、シリコーンオイルの溶解性調べた。外径１５ｍｍ、長さ１０５ｍｍの試験管に、表１に示す溶剤及びシリコーンオイルを、合計２ｍｌとなるように、溶剤：シリコーンオイル＝１：１を投入し、ラップで栓をして２０回上下振とうし、１０分静置した後の様子を調査した。結果を表１にまとめる。
【００３９】
【表１】
2018021159.tif 000002
【００４０】
表１における洗浄性の評価は以下のとおりである。
○：溶解した。×：溶解せず。
表１より、イソヘキサンは、試験例１で試験した全てのシリコーンオイルに対する溶解性が高いことが分かった。
【００４１】
［試験例２：シリコーンオイル及び植物油の溶解性］
以下の例１〜８の組成物を用いて、シリコーンオイル及び植物油の溶解性を調べた。例２、３、７及び８が実施例であり、例１、４、５及び６が比較例である。実施例及び比較例の洗浄用組成物は、各成分を混合することにより調製した。
【００４２】
試験管（容量：４ｍｌ、１０×７５ｍｍ、ＰＹＲＥＸ（登録商標）製）に、合計１ｍｌとなるように、洗浄剤：シリコーンオイル又は植物油＝１：１を投入し、ラップで栓をして２０回上下振とうし、１０分間、静置した後の様子を調査した。結果を表２にまとめる。
【００４３】
【表２】
2018021159.tif 000003
【００４４】
表２における溶解性の評価は以下のとおりである。なお、溶解性の評価において、「−」は、試験を行っていないことを意味する。
○：溶解した。×：溶解しなかった（２層以上に分離していた）。
表２より、実施例の組成物は、試験例２で試験したすべてのシリコーンオイル及び植物油に対する溶解性が高いことが分かった。
【００４５】
［試験例３：シリコーンオイルの洗浄性試験］
以下の例１〜４及び６〜２４の組成物を用いて、シリコーンオイルの洗浄性を調べた。例２、３、７、８、１２〜１５及び２４が実施例であり、例１、４、６、９〜１１及び１６〜２３が比較例である。実施例及び比較例の洗浄用組成物は、各成分を混合することにより調製した。
【００４６】
＜洗浄試験＞
洗浄用組成物について洗浄性を以下の方法により、シリコーンオイルごとに評価した。
（１）洗浄試験サンプルの作成
アルミニウム板（縦３０ｍｍ、横３０ｍｍ、厚さ０．３ｍｍ）に、スパチュラ（清水アキラ株式会社製、商品名１８−８サンダイヤ  平板タイプ  柄幅２．３ｍｍ  全長１８０ｍｍ）のさじを用いて、シリコーンオイルを１滴垂らして、伸ばし、洗浄試験サンプル（シリコーンオイル及び植物油からなる群より選択される１種以上の油が付着した基材）を得た。なお、シリコーンオイルが、ジメチルシリコーン（２）である場合、シリコーンオイルの１滴は約０．０２ｇであった。洗浄試験サンプルを得た直後、洗浄試験を行った。
（２）洗浄試験
洗浄用組成物を一般用綿棒に染み込ませて、洗浄試験サンプルの表面を拭いた。なお、洗浄試験サンプルの表面を拭いた後、洗浄試験サンプルは速やかに乾燥した。もう一度、洗浄用組成物を新たな一般用綿棒に染み込ませて、洗浄試験サンプルの表面を拭いた。アルミニウム板の表面に付着したシリコーンオイルが除去されたか否かの判定を目視で行った。結果を表３及び表４にまとめる。
【００４７】
【表３】
2018021159.tif 000004
【００４８】
【表４】
2018021159.tif 000005
【００４９】
表３及び表４における洗浄性の評価は以下のとおりである。
○：良い（シリコーンオイルの残渣がない）。×：悪い（シリコーンオイルの残渣があった）。
【００５０】
表３及び表４より、実施例の組成物は、試験例３で試験したすべてのシリコーンオイルに対する洗浄性が高かった。実施例の組成物は、いずれも、シス−１−クロロ−３，３，３−トリフルオロプロペン及びイソヘキサンを含むため、シス−１−クロロ−３，３，３−トリフルオロプロペンに比べて表面張力が低い洗浄剤であり、イソヘキサンに比べて引火性が低い洗浄剤であった。また、実施例の組成物である例７、８及び２４は、組成物が更に３６５ｍｆｃを含むため、引火性がより低くなった洗浄剤であると言える。一方、比較例の組成物は、一部のシリコーンオイルに対する洗浄性が劣っていた。よって、明細書に示される組成を満足する組成物は、試験例３で試験したすべてのシリコーンオイルに対する洗浄性が高い洗浄用組成物であった。また、試験例２及び３の結果によれば、対象とするシリコーンオイルを溶解できる組成物は、対象とするシリコーンオイルの洗浄剤として用いることができる。よって、試験例２で試験した植物油を溶解できる組成物は、植物油の洗浄剤として使用することができる。
【産業上の利用可能性】
【００５１】
洗浄用組成物は、シリコーンオイル及び植物油からなる群より選択される１種以上の油が付着した基材からシリコーンオイル及び植物油を除去するための洗浄剤として産業上極めて有用である。
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
（Ａ）シス−１−クロロ−３，３，３−トリフルオロプロペン、（Ｂ）イソヘキサン及び（ｃ１）１，１，１，３，３−ペンタフルオロブタンを含む、シリコーンオイル及び植物油からなる群より選択される１種以上の油が付着した基材から、シリコーンオイル及び植物油からなる群より選択される１種以上の油を除去するための洗浄用組成物であって、（Ａ）及び（Ｂ）の合計１００質量部に対して、（Ａ）が２７〜６４質量部であり、組成物中の（Ａ）及び（Ｂ）の合計の含有量が３８質量％以上１００質量％未満であり、組成物中の（Ａ）、（Ｂ）及び（ｃ１）の合計の含有量が９５〜１００質量％である、洗浄用組成物。